(57)【要約】【課題】光軸と被検レンズとの位置関係を取得できるレンズメータを提供する。【解決手段】被検レンズ５の保持部６と、被検レンズ５に測定光を投光する投光部２１と、点状の第１の透過部、第１の透過部を中心とする環状の第２の透過部、及び第２の透過部と同心で第２の透過部よりも大きい環状の第３の透過部を有するパターンマスク１４と、被検レンズ５及びパターンマスク１４を通過した測定光を受光する受光部２２と、第２の透過部の受光像を用いて、被検レンズ５の光学特性を算出する光学特性算出部２３と、その光学特性を出力する光学特性出力部２４と、第１の透過部の受光像から、第３の透過部の受光像の対向する２点までのそれぞれの長さを比較することによって、被検レンズ５と光軸との位置関係を取得する位置関係取得部２５と、その位置関係を出力する位置関係出力部２６と、を備える。【選択図】図１
2014098604.tif 000002
【特許請求の範囲】
【請求項１】
被検レンズに測定光を投光する投光部と、
前記被検レンズを保持する保持部と、
測定光の光路に存在するマスクであり、前記測定光の光軸中心に位置するように設けられた点状の第１の透過部と、当該第１の透過部を中心とする環状の第２の透過部と、当該第２の透過部と同心で当該第２の透過部より外周側に設けられた環状の第３の透過部とを有するパターンマスクと、
前記被検レンズ及び前記パターンマスクを通過した測定光を受光する受光部と、
前記受光部が受光した受光像のうち、前記第２の透過部の受光像を用いて、前記被検レンズの光学特性を算出する光学特性算出部と、
前記光学特性算出部が算出した光学特性を出力する光学特性出力部と、
前記受光部が受光した前記第１の透過部の受光像から、前記受光部が受光した前記第３の透過部の受光像の対向する２点までのそれぞれの長さを比較することによって、前記被検レンズと光軸との位置関係を取得する位置関係取得部と、
前記位置関係取得部が取得した位置関係を出力する位置関係出力部と、を備えたレンズメータ。
【請求項２】
前記被検レンズは、累進帯を有する多焦点レンズであり、
前記位置関係取得部は、前記被検レンズの累進帯と光軸との位置関係を取得する、請求項１記載のレンズメータ。
【請求項３】
前記被検レンズは、累進帯を有する多焦点レンズであり、
前記位置関係取得部は、前記被検レンズの焦点領域に光軸が位置するかどうかを示す位置関係を取得する、請求項１または請求項２記載のレンズメータ。
【発明の詳細な説明】
【技術分野】
【０００１】
本発明は、被検レンズの光学特性を算出するレンズメータに関する。
【背景技術】
【０００２】
従来、被検レンズの球面度数や円柱度数、プリズム値等の光学特性を測定するレンズ特性表示装置が知られていた（例えば、特許文献１参照）。
【先行技術文献】
【特許文献】
【０００３】
【特許文献１】特開平４−２６９６４０号公報
【発明の概要】
【発明が解決しようとする課題】
【０００４】
しかしながら、従来のレンズメータにおいては、被検レンズの測定位置での光学特性を測定することはできるが、その測定位置に対して、求めるべき光学特性の位置（方向）を容易に把握することはできなかった。例えば、被検レンズが累進帯を有する多焦点レンズである場合に、測定中のレンズ位置に対し、求めるべき光学特性の位置がどの方向にあるのかは、被検レンズを動かして得られた光学特性の値の変化から判断していた。そして、その判断結果に応じて被検レンズを移動させていた。すなわち、少なくとも測定した位置に対し被検レンズを移動させ、再度測定しなければ、求めるべき光学特性の位置を知ることができなかった。
【０００５】
本発明は、上記課題を解決するためになされたものであり、受光した受光像からレンズメータの光軸と被検レンズとの位置関係を取得することができるレンズメータを提供することを目的とする。
【課題を解決するための手段】
【０００６】
上記目的を達成するため、本発明によるレンズメータは、被検レンズに測定光を投光する投光部と、前記被検レンズを保持する保持部と、測定光の光路に存在するマスクであり、前記測定光の光軸中心に位置するように設けられた点状の第１の透過部と、当該第１の透過部を中心とする環状の第２の透過部と、当該第２の透過部と同心で当該第２の透過部より外周側に設けられた環状の第３の透過部とを有するパターンマスクと、前記被検レンズ及び前記パターンマスクを通過した測定光を受光する受光部と、前記受光部が受光した受光像のうち、前記第２の透過部の受光像を用いて、前記被検レンズの光学特性を算出する光学特性算出部と、前記光学特性算出部が算出した光学特性を出力する光学特性出力部と、前記受光部が受光した前記第１の透過部の受光像から、前記受光部が受光した前記第３の透過部の受光像の対向する２点までのそれぞれの長さを比較することによって、前記被検レンズと光軸との位置関係を取得する位置関係取得部と、前記位置関係取得部が取得した位置関係を出力する位置関係出力部と、を備えたものである。
このような構成により、被検レンズを動かさなくても、被検レンズとレンズメータの光軸との位置関係を取得することができる。その結果、例えば、その位置関係を用いて、被検レンズを適切に動かすことができる。
【０００７】
また、本発明によるレンズメータでは、前記被検レンズは、累進帯を有する多焦点レンズであり、前記位置関係取得部は、前記被検レンズの累進帯と光軸との位置関係を取得してもよい。
このような構成により、例えば、取得された位置関係を用いることによって、累進帯が光軸から外れないように被検レンズを移動させることができる。
【０００８】
また、本発明によるレンズメータでは、前記被検レンズは、累進帯を有する多焦点レンズであり、前記位置関係取得部は、前記被検レンズの焦点領域に光軸が位置するかどうかを示す位置関係を取得してもよい。
このような構成により、例えば、取得された位置関係を用いることによって、被検レンズを移動させている際に、被検レンズの遠点や近点などの焦点領域が光軸の位置となったことを知ることができる。
【発明の効果】
【０００９】
本発明によるレンズメータによれば、光軸と被検レンズとの位置関係を取得することができる。
【図面の簡単な説明】
【００１０】
【図１】本発明の実施の形態１によるレンズメータの構成を示すブロック図
【図２】同実施の形態における投光部や受光部について説明するための図
【図３】同実施の形態におけるパターンマスクの一例を示す図
【図４】同実施の形態における受光像について説明するための図
【図５】同実施の形態によるレンズメータの動作を示すフローチャート
【図６】同実施の形態における被検レンズの一例を示す図
【図７】同実施の形態における受光像の輝度変化の一例を示す図
【発明を実施するための形態】
【００１１】
以下、本発明によるレンズメータについて、実施の形態を用いて説明する。なお、以下の実施の形態において、同じ符号を付した構成要素及びステップは同一または相当するものであり、再度の説明を省略することがある。
【００１２】
（実施の形態１）
本発明の実施の形態１によるレンズメータについて、図面を参照しながら説明する。本実施の形態によるレンズメータは、光軸と被検レンズとの位置関係を取得するものである。
【００１３】
図１は、本実施の形態によるレンズメータ１の構成を示す図である。本実施の形態によるレンズメータ１は、保持部６と、パターンマスク１４と、投光部２１と、受光部２２と、光学特性算出部２３と、光学特性出力部２４と、位置関係取得部２５と、位置関係出力部２６とを備える。なお、図１では、本実施の形態によるレンズメータ１の特徴的な構成要素のみを示している。したがって、本実施の形態によるレンズメータ１は、これら以外の構成要素を備えていてもよいことは言うまでもない。例えば、レンズメータ１は、被検レンズ５の光学中心の光学特性の値を記憶する構成や、その光学特性の値を印刷する構成、その記録や印刷等の指示を受け付ける構成等を備えていてもよい。
【００１４】
本実施の形態によるレンズメータ１によって光学特性を測定する被検レンズ５は、累進帯を有する累進多焦点レンズ（累進屈折力レンズ）であることが好適であるが、それ以外のレンズであってもよい。多焦点レンズは、少なくとも２個の焦点領域を有する。そして、その焦点領域ごとに、設計基準点が存在することになる。その設計基準点の位置は、本来設計された光学性能によって物を見ることができる位置である。また、累進帯とは、累進多焦点レンズにおいて、遠用部と近用部との２個の焦点領域間で、中間度数が累進的に変化する領域のことである。また、本実施の形態によるレンズメータ１の測定の対象となる被検レンズ５は、例えば、未加工レンズであってもよく、フレーム加工済みレンズであってもよい。被検レンズ５がフレーム加工済みレンズである場合に、その被検レンズ５は、メガネフレームに入ったものであってもよい。
【００１５】
保持部６は、被検レンズ５を保持する。保持部６の形状は問わないが、被検レンズ５を移動可能に保持する形状であることが好適である。保持部６は、例えば、測定光が通過する孔を有する円環状の部材であってもよい。投光部２１は、保持部６で保持されている被検レンズ５に測定光を投光する。その投光部２１は、単一光源から測定光を投光するものである。また、受光部２２は、投光部２１から投光され、被検レンズ５及びパターンマスク１４を通過した測定光を受光する。
【００１６】
図２は、投光部２１等の詳細の一例を示す図である。図２において、投光部２１は、測定光の光源である発光素子１２と、その発光素子１２からの光を絞るためのピンホールを有するピンホール板１５と、そのピンホール板１５のピンホールを通過した拡散光を平行光束の測定光にして被検レンズ５に投光する投光レンズ１３とを有する。なお、そのピンホールは、投光レンズ１３の焦点に位置する。また、その測定光は、被検レンズ５と、パターンマスク１４とを通過する。受光部２２は、その被検レンズ５と、測定光の光路に存在するパターンマスク１４とを通過した測定光を受光する撮像素子１７を有する。その撮像素子１７は、パターンマスク１４の透過部の形状に対応する受光像を電気信号に変換して画像データを生成する。パターンマスク１４は、例えば、図３で示されるものである。図３において、パターンマスク１４は、第１の透過部１４ａと、第２の透過部１４ｂと、第３の透過部１４ｃとを有する。第１の透過部１４ａは、点状の透過部であり、通常、測定光の光軸中心に位置するように設けられる。なお、図３では、円状の第１の透過部１４ａを示しているが、その第１の透過部１４ａの形状は問わない。第１の透過部１４ａは、四角形状、三角形状等であってもよい。ただし、第１の透過部１４ａは、後述するように、第３の透過部１４ｃの中心点を示すためのものであるため、その中心点を示すことができるピンポイント状のものであることが好適である。第２の透過部１４ｂは、第１の透過部１４ａを中心とする環状の透過部である。この第２の透過部１４ｂは、被検レンズ５の光学特性の測定に用いられる。第３の透過部１４ｃは、第２の透過部１４ｂと同心で、第２の透過部１４ｂより外周側に設けられた環状の透過部である。すなわち、第３の透過部１４ｃは、第２の透過部１４ｂの半径よりも大きい半径を有する。この第３の透過部１４ｃは、測定光の光軸と、被検レンズ５との位置関係の取得に用いられる。第１から第３の透過部１４ａ〜１４ｃは、例えば、開口であってもよく、または、測定光を透過する領域であってもよい。後者の場合には、例えば、第１から第３の透過部１４ａ〜１４ｃ以外の領域が、測定光を透過しないようにコートされていてもよい。なお、図２で示される構成は一例であり、パターンマスク１４は、測定光の光路に存在すればよく、例えば、発光素子１２と投光レンズ１３との間に存在してもよく、投光レンズ１３と被検レンズ５との間に存在してもよく、適宜、その他の位置に存在してもよい。
【００１７】
光学特性算出部２３は、受光部２２が受光した第２の透過部１４ｂの受光像を用いて、被検レンズ５の光学特性を算出する。光学特性算出部２３が算出する光学特性は、例えば、球面度数であってもよく、円柱度数（柱面度数）であってもよく、プリズム値であってもよく、あるいは、それらの任意の２以上のものであってもよい。本実施の形態では、その光学特性が、球面度数と円柱度数とプリズム値である場合について説明する。また、光学特性算出部２３は、通常、定期的に継続して光学特性を算出する。例えば、被検レンズ５が移動された場合には、その移動後の位置における光学特性が光学特性算出部２３によって算出されることになる。また、その光学特性に、軸角度（乱視軸角度）が含まれていてもよい。なお、受光像から光学特性を算出する方法は、すでに公知であり、その説明を省略する。例えば、特開２００８−２８６６２９号公報等を参照されたい。
【００１８】
光学特性出力部２４は、光学特性算出部２３が算出した光学特性を出力する。なお、この光学特性出力部２４による光学特性の出力によって、レンズメータ１の操作者等が光学特性を知ることができるようになることが好適である。ここで、この出力は、例えば、表示デバイス（例えば、ＣＲＴや液晶ディスプレイなど）への表示でもよく、所定の機器への通信回線を介した送信でもよく、プリンタによる印刷でもよく、スピーカによる音声出力でもよく、記録媒体への蓄積でもよく、他の構成要素への引き渡しでもよい。なお、光学特性出力部２４は、出力を行うデバイス（例えば、表示デバイスやプリンタなど）を含んでもよく、あるいは含まなくてもよい。また、光学特性出力部２４は、ハードウェアによって実現されてもよく、あるいは、それらのデバイスを駆動するドライバ等のソフトウェアによって実現されてもよい。
【００１９】
位置関係取得部２５は、受光部２２が受光した第１の透過部１４ａの受光像から、受光部２２が受光した第３の透過部１４ｃの受光像における対向する２点までのそれぞれの長さを比較することによって、被検レンズ５と光軸との位置関係を取得する。具体的には、位置関係取得部２５は、受光部２２が受光したパターンマスク１４の受光像において、第１の透過部１４ａの受光像を通る所定の直線と、その直線と交わる第３の透過部１４ｃの受光像の２点を特定し、第１の透過部１４ａの受光像から、その対向する２点までのそれぞれの長さを取得し、その長さを比較することによって、被検レンズ５と光軸との位置関係を取得する。例えば、その２個の長さがＸ１，Ｘ２である場合には、位置関係取得部２５は、Ｘ１＝Ｘ２であるのか、Ｘ１＞Ｘ２であるのか、あるいは、Ｘ１＜Ｘ２であるのかを判断することによって、光軸と被検レンズ５との位置関係を取得できる。なお、そのＸ１とＸ２との比較は、測定誤差等に起因する誤差を許容して行ってもよい。具体的には、｜Ｘ１−Ｘ２｜＜εであれば、Ｘ１＝Ｘ２であると判断し、（Ｘ１−Ｘ２）≧εであれば、Ｘ１＞Ｘ２と判断し、（Ｘ２−Ｘ１）≧εであれば、Ｘ２＞Ｘ１であると判断してもよい。なお、εは、誤差であり、正の値である。以下の説明において、特に明記しなくても、このような誤差を考慮して２個の長さの比較を行ってもよいものとする。また、位置関係取得部２５が比較する２個の長さの方向及び個数は問わない。例えば、位置関係取得部２５は、レンズメータ１の操作者に対して左右方向の２個の長さを比較してもよく、操作者に対して前後方向の２個の長さを比較してもよく、その両方を行ってもよい。ここで、被検レンズ５が累進帯を有する多焦点レンズである場合における、光軸と被検レンズとの位置関係の取得について説明する。
【００２０】
（１）累進帯と光軸との位置関係の取得
位置関係取得部２５は、被検レンズ５の累進帯と、測定光の光軸との位置関係を取得してもよい。その位置関係は、累進帯に対して、光軸がどちら側にあるのかを示すものである。なお、その位置関係は、相対的なものであるため、光軸に対して、累進帯がどちら側にあるかを示すものであると考えてもよい。この位置関係は、通常、累進帯の中間度数が累進的に変化する方向（以下、この方向を「累進帯の方向」と呼ぶこともある）に直交する方向において、累進帯と、光軸との関係を示すものである。例えば、累進帯の方向が、レンズメータ１の操作者に対して前後方向となっている場合に、位置関係取得部２５は、測定光の光軸が累進帯上にあるのか、累進帯の右側にあるのか、あるいは、累進帯の左側にあるのかを示す位置関係を取得してもよい。なお、位置関係によって累進帯と光軸との関係が結果として分かればよいため、その位置関係は、例えば、測定光の光軸が累進帯上となるために、どのように被検レンズ５を移動させなくてはならないのかを示すものであってもよい。具体的には、位置関係は、光軸が累進帯上にある場合には、移動させなくてもよい旨を示すものであり、光軸が累進帯の右側にある場合には、被検レンズ５を右側に移動させる旨を示すものであり、光軸が累進帯の左側にある場合には、被検レンズ５を左側に移動させる旨を示すものであってもよい。
【００２１】
そのような位置関係を取得するため、位置関係取得部２５は、累進帯の方向に直交する方向について、第１の透過部１４ａの受光像から、第３の透過部１４ｃの受光像における対向する２点までのそれぞれの長さを取得し、その２個の長さが等しい場合には、光軸が累進帯上にある旨の位置関係を取得し、その２個の長さが等しくない場合には、光軸に対して、ベクトルＶの向きに累進帯がある旨の位置関係を取得してもよい。ここで、ベクトルＶとは、第１の透過部１４ａの受光像を始点として、第３の透過部１４ｃの受光像における対向する２点のうち、長い方の長さに対応する点を終点とするベクトルである。具体的には、パターンマスク１４の受光像が図４（ｃ）で示され、累進帯の方向が図中の上下方向であるとすると、Ｘ１＝Ｘ２である場合に、位置関係取得部２５は、測定光の光軸が累進帯上にある旨の位置関係、すなわち、被検レンズ５が光軸に対して左右にずれていない旨の位置関係を取得する。また、Ｘ１＞Ｘ２である場合に、位置関係取得部２５は、測定光の光軸が累進帯の左側にある旨の位置関係、すなわち、被検レンズ５が光軸に対して右側にずれている旨の位置関係を取得する。また、Ｘ１＜Ｘ２である場合に、位置関係取得部２５は、測定光の光軸が累進帯の右側にある旨の位置関係、すなわち、被検レンズ５が光軸に対して左側にずれている旨の位置関係を取得する。
【００２２】
なお、この（１）の判断では、累進帯に光軸がある場合と、焦点領域に光軸がある場合とを区別できない。なぜなら、両方の場合に、Ｘ１＝Ｘ２となるからである。したがって、この（１）の判断は、累進帯または焦点領域と光軸との位置関係の取得であると考えることもできる。
【００２３】
（２）焦点領域に光軸が位置するかどうかを示す位置関係の取得
位置関係取得部２５は、被検レンズ５の焦点領域に光軸が位置するかどうかを示す位置関係を取得してもよい。具体的には、その位置関係は、光軸が累進帯上にあるのか、遠用部または近用部等の焦点領域にあるのかを示すものであってもよい。なお、その位置関係によって焦点領域と光軸との関係が結果として分かればよいため、その位置関係は、例えば、測定光の光軸を遠用部や近用部上とするために、被検レンズ５をさらに移動させなくてはならないのかどうかを示すものであってもよい。具体的には、位置関係は、光軸が累進帯上にある場合には、被検レンズ５を移動させる旨を示すものであり、光軸が遠用部または近用部にある場合には、被検レンズ５を移動させなくてよい旨を示すものであってもよい。
【００２４】
そのような位置関係を取得するため、位置関係取得部２５は、累進帯の方向について、第１の透過部１４ａの受光像から、第３の透過部１４ｃの受光像における対向する２点までのそれぞれの長さを取得し、その２個の長さが等しい場合には、光軸が焦点領域上にある旨の位置関係を取得し、その２個の長さが等しくない場合には、光軸が累進帯上にある旨（または、光軸が焦点領域に存在しない旨）の位置関係を取得してもよい。具体的には、パターンマスク１４の受光像が図４（ｃ）で示され、累進帯の方向が図中の上下方向であり、測定光の光軸が累進帯または焦点領域にあるとすると、Ｙ１＝Ｙ２である場合に、位置関係取得部２５は、測定光の光軸が焦点領域にある旨の位置関係、すなわち、光軸が遠用部か近用部にある旨の位置関係を取得する。また、Ｙ１≠Ｙ２である場合に、位置関係取得部２５は、測定光の光軸が累進帯上にある旨の位置関係、すなわち、光軸が遠用部と近用部との間にある旨の位置関係を取得する。
【００２５】
なお、位置関係取得部２５は、上記（１）の位置関係のみを取得してもよく、上記（２）の位置関係のみを取得してもよく、上記（１）、（２）の両方の位置関係を取得してもよく、または、それらの位置関係と共に、もしくは、それらの位置関係に代えて、その他の位置関係を取得してもよい。また、この（２）による位置関係の取得を正確に行うためには、上述した（１）における位置関係の取得において、Ｘ１＝Ｘ２と判断されていること、すなわち、測定光の光軸が累進帯（または焦点領域）にある旨の位置関係が取得されていることが好適である。したがって、（１）において光軸が累進帯にある旨の位置関係が取得されたときにのみ、（２）の位置関係の取得を行ってもよい。また、（１）における位置関係の取得で用いる誤差と、（２）における位置関係の取得で用いる誤差とは、同じであってもよく、あるいは、異なっていてもよい。
【００２６】
位置関係出力部２６は、位置関係取得部２５が取得した位置関係を出力する。なお、この位置関係出力部２６による位置関係の出力によって、レンズメータ１の操作者等が測定光の光軸と被検レンズ５との位置関係を知ることができるようになることが好適である。また、位置関係出力部２６による位置関係の出力は、位置関係取得部２５が取得した位置関係そのものの出力であってもよく、位置関係取得部２５が取得した位置関係に応じた出力であってもよい。後者の場合に、例えば、位置関係によって累進帯が光軸の左側に存在することが示される場合に、位置関係出力部２６は、被検レンズ５を右に移動させる旨の右向きの矢印を出力してもよい。ここで、この出力は、例えば、表示デバイス（例えば、ＣＲＴや液晶ディスプレイなど）への表示でもよく、所定の機器への通信回線を介した送信でもよく、プリンタによる印刷でもよく、スピーカによる音声出力でもよく、記録媒体への蓄積でもよく、他の構成要素への引き渡しでもよい。例えば、上記（１）の位置関係を表示する場合には、位置関係出力部２６は、光軸が累進帯上となるために被検レンズ５を移動させる方向を示すテキストや図形（例えば、矢印図形等）を表示してもよい。また、例えば、上記（２）の位置関係を表示する場合には、位置関係出力部２６は、光軸が累進帯上である旨、または、光軸が焦点領域である旨をテキストや図形によって表示してもよい。また、例えば、上記（１）の位置関係を音声出力する場合には、位置関係出力部２６は、光軸が累進帯上となるために被検レンズ５を移動させる方向を示す音声、具体的には「レンズを左に移動して下さい」や「レンズを右に移動して下さい」を音声出力してもよい。また、例えば、上記（２）の位置関係を音声出力する場合には、位置関係出力部２６は、光軸が焦点領域に移動するために被検レンズ５を移動させなくてはならないのか、もう移動させなくてもよいのかを示す音声、具体的には、「レンズを前後にさらに移動して下さい」や、「レンズの前後方向の移動をストップして下さい」を音声出力してもよい。また、位置関係出力部２６は、カーソルの形状によって位置関係を出力してもよい。なお、位置関係出力部２６は、出力を行うデバイス（例えば、表示デバイスやプリンタなど）を含んでもよく、あるいは含まなくてもよい。また、位置関係出力部２６は、ハードウェアによって実現されてもよく、あるいは、それらのデバイスを駆動するドライバ等のソフトウェアによって実現されてもよい。
【００２７】
なお、光学特性出力部２４と位置関係出力部２６との出力の方法が同じである場合には、両者は同一の構成要素であってもよい。例えば、両者が表示を行う場合には、両者は同一の表示部であってもよい。
【００２８】
次に、レンズメータ１の動作について図５のフローチャートを用いて説明する。なお、図５のフローチャートでは、投光部２１が測定光を被検レンズ５に投光し、受光部２２がその測定光を受光する処理については、説明を省略している。
【００２９】
（ステップＳ１０１）光学特性算出部２３は、光学特性を算出するかどうか判断する。そして、光学特性を算出する場合には、ステップＳ１０２に進み、そうでない場合には、光学特性を算出すると判断するまでステップＳ１０１の処理を繰り返す。なお、光学特性算出部２３は、光学特性を算出すると定期的に判断してもよく、あるいは、所定のイベント（例えば、光学特性の算出の指示の受け付け）の発生に応じて光学特定を算出すると判断してもよい。
【００３０】
（ステップＳ１０２）光学特性算出部２３は、第２の透過部１４ｂの受光像を用いて、光学特性を算出する。
【００３１】
（ステップＳ１０３）光学特性出力部２４は、光学特性算出部２３が算出した光学特性を出力する。
【００３２】
（ステップＳ１０４）位置関係取得部２５は、第１の透過部１４ａの受光像と、第３の透過部１４ｃの受光像とを用いて、位置関係を取得する。
【００３３】
（ステップＳ１０５）位置関係出力部２６は、位置関係取得部２５が取得した位置関係を出力する。そして、ステップＳ１０１に戻る。
なお、図５のフローチャートにおいて、光学特性の算出・出力と、位置関係の取得・出力とを連続して行う場合について説明したが、そうでなくてもよい。例えば、位置関係の取得等は定期的に行い、光学特性の算出は、操作者等からの指示があった時にのみ行ってもよい。また、ステップＳ１０４の位置関係の取得において、上記（１）、（２）の両方の位置関係を取得する場合に、まず、（１）の位置関係の取得において、光軸が累進帯（または焦点領域）にある旨の位置関係を取得した場合にのみ、（２）の位置関係を取得するようにしてもよい。また、図５のフローチャートにおいて、電源オフや処理終了の割り込みにより処理は終了する。
【００３４】
次に、本実施の形態によるレンズメータ１の動作について、具体例を用いて説明する。この具体例では、被検レンズ５が遠用部と近用部との２個の焦点領域を有する累進多焦点レンズであるとする。また、操作者は、累進帯が前後方向となるように被検レンズ５を保持部６に載置し、まず遠用部の測定を行い、次に近用部の測定を行うものとする。また、この具体例では、光学特性算出部２３は、光学特性を算出すると定期的に判断するものとする。また、この具体例では、位置関係出力部２６は、上記（１）の位置関係の出力を、光軸を累進帯上にするための被検レンズ５の移動方向を示す矢印図形を表示することによって行い、上記（２）の位置関係の出力を、光軸が累進帯上にある場合には、上下方向の矢印を表示し、光軸が焦点領域にある場合には、「ピッ」と音を出力することによって行うものとする。
【００３５】
まず操作者が、累進帯の方向が前後方向となるように被検レンズ５を保持部６に載置したとする。そのときに、レンズメータ１の光軸が、図６で示される被検レンズ５の位置Ｐ３にあったとする。そして、その時点に光学特性算出部２３が光学特性を算出すると判断したとする（ステップＳ１０１）。すると、光学特性算出部２３は、受光部２２から、パターンマスク１４に応じたその時点の受光像を取得する。その受光像は、図４（ａ）のようであったとする。なお、図４（ａ）の受光像において、第１の透過部１４ａ、第２の透過部１４ｂ、第３の透過部１４ｃのそれぞれに応じた位置の輝度が高くなっており、それ以外はパターンマスク１４によってマスクされるため、輝度が低くなっている。光学特性算出部２３は、図４（ｃ）の受光像において、外側から左右方向及び上下方向にスキャンすることによって、第３の透過部１４ｃの受光像を囲む最小の矩形領域を特定する。図４（ｂ）で示される破線の矩形が、その特定された領域である。次に、光学特性算出部２３は、矩形領域の中心周辺部分をスキャンして、第１の透過部１４ａの受光像の領域を特定する。そして、その特定した領域の重心を算出し、その重心位置を中心点とする。その後、光学特性算出部２３は、中心点から外側に向かって、３６０度方向にスキャンすることによって、第２の透過部１４ｂの受光像を特定する。そして、その特定した第２の透過部１４ｂの受光像の形状を用いて、光学特性を算出し、光学特性出力部２４に渡す（ステップＳ１０２）。また、光学特性算出部２３は、取得した中心点の座標を位置関係取得部２５に渡す。光学特性出力部２４は、受け取った光学特性を図示しない記録媒体で一時的に記憶する（ステップＳ１０３）。
【００３６】
次に、位置関係取得部２５は、中心点の座標を光学特性算出部２３から受け取ると、図４（ｃ）で示されるように、中心点を通る左右方向の直線の輝度を取得する。その輝度は、図７（ａ）のようであったとする。すると、位置関係取得部２５は、中心点から右端の輝度のピークまでの長さＸ１と、中心点から左端の輝度のピークまでの長さＸ２とを測定し、Ｘ１とＸ２との大小を比較する。ここでは、Ｘ１＝Ｘ２であったとする。すると、位置関係取得部２５は、光軸が累進帯上にあることを示す位置関係を取得する。また、位置関係取得部２５は、図４（ｃ）で示されるように、中心点を通る上下方向の直線の輝度を取得する。その輝度は、図７（ｂ）のようであったとする。すると、位置関係取得部２５は、中心点から下端の輝度のピークまでの長さＹ１と、中心点から上端の輝度のピークまでの長さＹ２とを測定し、Ｙ１とＹ２との大小を比較する。ここでは、Ｙ１＞Ｙ２であったとする。すると、位置関係取得部２５は、光軸が焦点領域にないことを示す位置関係を取得する。そして、位置関係取得部２５は、それらの位置関係を位置関係出力部２６に渡す（ステップＳ１０４）。位置関係出力部２６は、位置関係を受け取ると、光軸が累進帯上にあるため、左右方向の矢印は表示しないが、光軸が焦点領域に存在せず、さらに１個目の焦点領域に関する記録が終了していないため、上向きの矢印を表示する（ステップＳ１０５）。
【００３７】
そのようにして表示された上向きの矢印に応じて、操作者が被検レンズ５を移動させ、光軸が図６の位置Ｐ４になったとする。その時点でも、前述の処理と同様に、光学特性の取得と、出力とが行われたとする（ステップＳ１０１〜Ｓ１０３）。また、前述の処理と同様に、位置関係の取得が行われる。この時点では、左右方向の輝度は図７（ｃ）のようであり、Ｘ１＝Ｘ２であったとする。そのため、位置関係取得部２５は、光軸が累進帯（または焦点領域）上にあることを示す位置関係を取得する。また、上下方向の輝度は図７（ｄ）のようであり、Ｙ１＝Ｙ２であったとする。すると、位置関係取得部２５は、光軸が焦点領域、すなわち、遠用部にあることを示す位置関係を取得し、それらの位置関係を位置関係出力部２６に渡す（ステップＳ１０４）。すると、位置関係出力部２６は、上向きの矢印を表示しなくなると共に、「ピッ」という音を出力する（ステップＳ１０５）。その音の出力に応じて、操作者が図示しない記録ボタンを押下すると、最新の光学特性が、遠用部の光学特性として図示しない記録媒体に記録される。
【００３８】
その後、近用部の光学特性を記録するため、下向きの矢印が表示され、それに応じて操作者が被検レンズ５を移動させる。その場合にも、前述のように、光学特性の算出や、位置関係の取得等の処理が行われる（ステップＳ１０１〜Ｓ１０５）。なお、その遠用部から近用部への移動の途中において、光軸が図６の位置Ｐ２になったとする。その時点でも、前述の処理と同様に、光学特性の取得と、出力とが行われたとする（ステップＳ１０１〜Ｓ１０３）。また、前述の処理と同様に、位置関係の取得が行われる。この時点では、左右方向の輝度は図７（ｅ）のようであり、Ｘ１＜Ｘ２であったとする。そのため、位置関係取得部２５は、光軸が累進帯の右側にあることを示す位置関係を取得し、位置関係出力部２６に渡す（ステップＳ１０４）。なお、この場合には、光軸が累進帯上に存在しないため、位置関係出力部２６は、上述の（２）の位置関係の取得は行わない。そして、位置関係出力部２６は、下向きの矢印に代えて、右向きの矢印を表示する（ステップＳ１０５）。そして、その右向きの矢印に応じて、操作者が被検レンズ５を右側に移動させ、Ｘ１＝Ｘ２となると、位置関係出力部２６は、再度、下向きの矢印を表示する（ステップＳ１０１〜Ｓ１０５）。
【００３９】
その後、光軸が図６の位置Ｐ１になったとする。その時点でも、前述の処理と同様に、光学特性の取得と、出力とが行われたとする（ステップＳ１０１〜Ｓ１０３）。また、前述の処理と同様に、位置関係の取得が行われる。この時点では、左右方向の輝度は図７（ｆ）のようであり、Ｘ１＝Ｘ２であったとする。そのため、位置関係取得部２５は、光軸が累進帯（または焦点領域）上にあることを示す位置関係を取得する。また、上下方向の輝度は図７（ｇ）のようであり、Ｙ１＝Ｙ２であったとする。すると、位置関係取得部２５は、光軸が焦点領域、すなわち、近用部にあることを示す位置関係を取得し、それらの位置関係を位置関係出力部２６に渡す（ステップＳ１０４）。すると、位置関係出力部２６は、下向きの矢印を表示しなくなると共に、「ピッ」という音を出力する（ステップＳ１０５）。その音の出力に応じて、操作者が図示しない記録ボタンを押下すると、最新の光学特性が、近用部の光学特性として図示しない記録媒体に記録される。このようにして、遠用部と近用部との２個の焦点領域における光学特性の測定が終了する。
【００４０】
なお、この具体例では、図４（ａ）〜図４（ｃ）において、被検レンズ５がない場合の第２の透過部１４ｂ等の受光像を示しているが、これは説明の便宜のためであり、被検レンズ５がある場合には、第２の透過部１４ｂ等の受光像は、図４（ａ）〜図４（ｃ）とは異なったものとなりうる。
【００４１】
また、この具体例では、Ｘ１，Ｘ２等を測定する際に、輝度のピークの位置を第３の透過部１４ｃの位置とする場合について説明したが、そうでなくてもよい。例えば、図７（ａ）の輝度変化において、その輝度変化と、あらかじめ決められたしきい値との交点（適切にしきい値を設定することによって、１０個の交点が存在することになる）のうち、左から１，２番目の交点の中点と、右から１，２番目の交点の中点とを第３の透過部１４ｃの位置としてもよい。第１の透過部１４ａの位置についても同様である。
【００４２】
以上のように、本実施の形態によるレンズメータ１によれば、パターンマスク１４の第２の透過部１４ｂを用いて、被検レンズ５の光学特性を算出することができると共に、第１の透過部１４ａ、及び第３の透過部１４ｃを用いて、レンズメータ１の光学中心と、被検レンズ５との位置関係を取得することができる。その結果、例えば、光軸が累進帯及び焦点領域の少なくとも一方にあるのかどうかや、光軸が焦点領域にあるのかどうかなどを容易に把握することができるようになる。なお、１個の環状透過部のみを有するパターンマスクを用いて、光学特性の算出と、位置関係の取得とを行う場合には、光学特性の精度アップと、適切な位置関係の取得とを両立できない。具体的には、光学特性の精度アップを達成するためには、環状透過部の半径を小さくしなくてはならないが、そうすると、位置関係の精度が下がることになり、アライメントの操作性が悪くなる。一方、環状透過部の半径を大きくすると、位置関係の精度が上がり、アライメントの操作性はよくなるが、光学特性の精度が下がることになる。したがって、１個の環状透過部のみを有するパターンマスクを用いて光学特性の算出と、位置関係の取得との両方を行うことは困難であるが、本実施の形態によるレンズメータ１のように、半径の異なる２個の環状透過部１４ｂ、１４ｃを有するパターンマスク１４を用いることによって、光学特性の精度アップと、高精度な位置関係の取得との両方を達成することができる。また、パターンマスク１４が第１の透過部１４ａを有することによって、第３の透過部１４ｃの受光像の中心点を正確に特定できることになり、第３の透過部１４ｃの受光像の中心点を、その第３の透過部１４ｃの形状から算出する場合と比較して、より精度の高い位置関係の取得が可能となり、また、リングの形状解析が簡単になり高速化できる。
【００４３】
なお、本実施の形態では、位置関係取得部２５が前述の（１）、（２）の両方の位置関係を取得する場合について説明したが、そうでなくてもよい。例えば、位置関係取得部２５は、（１）の位置関係のみを取得してもよい。
【００４４】
また、上記実施の形態において、各処理または各機能は、単一の装置または単一のシステムによって集中処理されることによって実現されてもよく、あるいは、複数の装置または複数のシステムによって分散処理されることによって実現されてもよい。
【００４５】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、あるいは、その情報の受け渡しを行う２個の構成要素が物理的に同じものである場合には、一方の構成要素に対応する処理のフェーズから、他方の構成要素に対応する処理のフェーズに移ることによって行われてもよい。
【００４６】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、設定値等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【００４７】
また、上記実施の形態において、各構成要素等で用いられる情報、例えば、各構成要素が処理で用いるしきい値や各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【００４８】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【００４９】
また、本発明は、以上の実施の形態に限定されることなく、種々の変更が可能であり、それらも本発明の範囲内に包含されるものであることは言うまでもない。
【産業上の利用可能性】
【００５０】
以上より、本発明によるレンズメータによれば、レンズメータの光学中心と被検レンズとの位置関係を取得できるという効果が得られ、被検レンズの光学特性を測定するレンズメータとして有用である。
【符号の説明】
【００５１】
１  レンズメータ
５  被検レンズ
６  保持部
１４  パターンマスク
１４ａ  第１の透過部
１４ｂ  第２の透過部
１４ｃ  第３の透過部
２１  投光部
２２  受光部
２３  光学特性算出部
２４  光学特性出力部
２５  位置関係取得部
２６  位置関係出力部
【図１】
2014098604.tif 000003
【図２】
2014098604.tif 000004
【図３】
2014098604.tif 000005
【図４】
2014098604.tif 000006
【図５】
2014098604.tif 000007
【図６】
2014098604.tif 000008
【図７】
2014098604.tif 000009